(57)【要約】【課題】  通常時は隙間なく目地部を塞ぐことができ、かつ躯体が地震によって左右の躯体が揺れ動き、目地部が狭くなった場合であっても、左右一対の目地プレートが略均等に回動して合掌状態となり、揺れ動きが収まった場合には確実に元の位置に復帰して、地震による揺れ動きを吸収できる目地装置を提供すること。【解決手段】  左右の躯体の壁面間の目地部を塞ぐ目地装置であって、前記左右の躯体にそれぞれヒンジ部材を介して設けられ、前記目地部を塞ぐことができる左右一対の目地プレートと、前記左右一対の目地プレートを常に内方へ付勢する目地プレート牽引手段と、前記左右一対の目地プレートが所定角度以上内方へ回転することを防止するストッパーとで構成され、前記左右一対の目地プレートの各突出端部には、傾斜面がそれぞれ設けられ、左右一対の目地プレートの上面は、前記傾斜面と連続する曲面状に形成されていることを特徴とする。【選択図】  図１
2018031148.tif 000002
【特許請求の範囲】
【請求項１】
左右の躯体の壁面間の目地部を塞ぐ目地装置であって、前記左右の躯体にそれぞれヒンジ部材を介して設けられ、前記目地部を塞ぐことができる左右一対の目地プレートと、前記左右一対の目地プレートを常に内方へ付勢する目地プレート牽引手段と、前記左右一対の目地プレートが所定角度以上内方へ回転することを防止するストッパーとで構成され、前記左右一対の目地プレートの各突出端部には、傾斜面がそれぞれ設けられ、左右一対の目地プレートの上面は、前記傾斜面と連続する曲面状に形成されていることを特徴とする目地装置。
【請求項２】
左右の躯体の天井間の目地部を塞ぐ目地装置であって、前記左右の躯体にそれぞれヒンジ部材を介して設けられ、前記目地部を塞ぐことができる左右一対の目地プレートと、前記左右一対の目地プレートを常に内方へ付勢する目地プレート牽引手段と、前記左右一対の目地プレートが所定角度以上内方へ回転することを防止するストッパーとで構成され、前記左右一対の目地プレートの各突出端部には、傾斜面がそれぞれ設けられ、左右一対の目地プレートの上面は、前記傾斜面と連続する曲面状に形成されていることを特徴とする目地装置。
【請求項３】
前記左右一対の目地プレートに形成された傾斜面が成す角は７０度であることを特徴とする請求項１又は請求項２のいずれかに記載の目地装置。
【請求項４】
前記目地プレート牽引手段は、左右の躯体に固定された牽引具と、この牽引具に接続され、かつ、左右一対の目地プレートにそれぞれ取り付けられるワイヤーとで構成されており、前記左右一対の目地プレートの上面には、前記ワイヤーが固定されるワイヤー固定凹部が形成されていることを特徴とする請求項１乃至請求項３のいずれかに記載の目地装置。
【発明の詳細な説明】
【技術分野】
【０００１】
本発明は目地部を介して設けられた躯体の間の目地部を塞ぐ目地装置に関する。
【背景技術】
【０００２】
従来、天井間や壁面間の目地部を塞ぐ目地装置としては、「目地部を介して設けられた左右の建物の一方の建物の躯体に先端部が、該目地部の中央部の天井部分に位置し、略逆山形状あるいは略逆台形状に中央支持体を下方へ回動できるように支持する、少なくとも２個以上の中央支持機構と、この少なくとも２個以上の中央支持機構を、中央支持体を通常時には目地部の中央部に位置させ、地震で目地部が狭くなると中央支持体を下方へ回動させる中央支持機構支持具と、先端部が前記少なくとも２個以上の中央支持機構の中央支持体の両先端部に支持されて水平状態となるように、後端部が前記左右の建物の天井部分の外壁躯体に取付けられた左右の目地天井パネルと、この左右の目地天井パネルを通常時には水平状態に保つとともに、地震で目地部が狭くなると先端部を下方へ回動させる左右の目地天井パネル支持具とからなることを特徴とする天井用目地装置」が知られている（例えば特許文献１）。
【０００３】
しかしこのような目地装置では、ストッパーに天井パネルの先端部が当接し、合掌状態で下方へ回動するものなので、左右のパネルが均等に下方へ回動するものではなく、ストッパーからパネル先端部が外れた場合、一方の天井パネルが他方の天井パネルの内側に入り込んでしまうおそれがあった。
【先行技術文献】
【特許文献】
【０００４】
【特許文献１】特開２０１５−２１８５４５公報
【発明の概要】
【発明が解決しようとする課題】
【０００５】
本発明は以上のような従来の欠点に鑑み、通常時は隙間なく目地部を塞ぐことができ、かつ躯体が地震によって左右の躯体が揺れ動き、目地部が狭くなった場合であっても、左右一対の目地プレートが略均等に回動して合掌状態となり、揺れ動きが収まった場合には確実に元の位置に復帰して、地震による揺れ動きを吸収できる目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明の目地装置は、左右の躯体の壁面間の目地部を塞ぐ目地装置であって、前記左右の躯体にそれぞれヒンジ部材を介して設けられ、前記目地部を塞ぐことができる左右一対の目地プレートと、前記左右一対の目地プレートを常に内方へ付勢する目地プレート牽引手段と、前記左右一対の目地プレートが所定角度以上内方へ回転することを防止するストッパーとで構成され、前記左右一対の目地プレートの各突出端部には、傾斜面がそれぞれ設けられ、左右一対の目地プレートの上面は、前記傾斜面と連続する曲面状に形成されていることを特徴とする。
【０００８】
また、本発明の目地装置は、左右の躯体の天井間の目地部を塞ぐ目地装置であって、前記左右の躯体にそれぞれヒンジ部材を介して設けられ、前記目地部を塞ぐことができる左右一対の目地プレートと、前記左右一対の目地プレートを常に内方へ付勢する目地プレート牽引手段と、前記左右一対の目地プレートが所定角度以上内方へ回転することを防止するストッパーとで構成され、前記左右一対の目地プレートの各突出端部には、傾斜面がそれぞれ設けられ、左右一対の目地プレートの上面は、前記傾斜面と連続する曲面状に形成されていることを特徴とする
【発明の効果】
【０００９】
以上の説明から明らかなように、本発明にあっては次に列挙する効果が得られる。
（１）請求項１に記載の発明においては、左右の目地プレートの各突出端部には、傾斜面がそれぞれ設けられているので、地震によって左右の躯体が揺れ動き、目地部が狭くなった場合に、傾斜面によって左右の目地プレートが外方（下方）へ回動させることができる。
（２）左右一対の目地プレートの上面は、前記傾斜面と連続する曲面状に形成されているので、地震によって左右の躯体が揺れ動き、目地部がさらに狭くなった場合に、左右の目地プレートが略均等に回動して合掌状態となり、揺れ動きを吸収することができる。
また、左右の目地プレートが略均等に回動するため、左右いずれかの目地プレートの内側に他方の目地プレートが入り込むことを防止できる。
（３）請求項２乃至請求項５に記載の各発明においても、前記（１）〜（２）と同様な効果が得られる。
【図面の簡単な説明】
【００１０】
図１乃至図７は本発明の第１の実施形態を示す説明図である。
図８乃至図１０は本発明の第２の実施形態を示す説明図である。
図１１乃至図１４は本発明の第３の実施形態を示す説明図である。
【図１】第１の実施形態の目地装置の平面図。
【図２】図１の２−２線に沿う断面図。
【図３】図１の３−３線に沿う断面図。
【図４】目地プレートの説明図。
【図５】地震で目地部が少し狭くなった動作説明図。
【図６】地震で目地部が狭くなった動作説明図。
【図７】地震で目地部が広くなった動作説明図。
【図８】第２の実施形態の目地装置の平面図。
【図９】図８の９−９線に沿う断面図。
【図１０】地震で目地部が狭くなった動作説明図。
【図１１】第３の実施形態の目地装置の正面図。
【図１２】目地装置の背面図。
【図１３】図１２の１３−１３線に沿う断面図。
【図１４】地震で目地部が狭くなった動作説明図。
【発明を実施するための形態】
【００１１】
以下、図面に示す本発明を実施するための形態により、本発明を詳細に説明する。
図１乃至図７に示す本発明を実施するための第１の形態において、１は目地部２を介して設けられた一方の躯体３及び他方の躯体４間に設置された目地装置である。
【００１２】
本実施の形態においては、この目地装置１は左右の躯体３、４の天井間の目地部を略水平状態で塞ぐ天井用目地装置として用いられる。
【００１３】
なお、左右方向とは図１における左右方向であり、前後方向とは図１における上下方向をいい、上下方向とは図２における上下方向をいう。目地部の外方とは、躯体の外側壁面方向（図２における下方向）であり、目地部の内方とは、躯体の内側壁面方向（図２における上方向）をいう。
【００１４】
また、本発明において躯体とは、建物、道路、スラブ、エレベーターシャフト等の目地プレートを設置可能な建造物をいい、出入口とはドアや扉の設けられた出入口だけではなく、人や車両等が通行できる通路も含むものである。
【００１５】
この目地装置１は、図１乃至図３に示すように、前記左右の躯体３、４にそれぞれヒンジ部材５を介して設けられ、前記目地部２を塞ぐことができる左右一対の目地プレート６と、前記左右一対の目地プレート６を常に上方へ付勢する目地プレート牽引手段７と、前記左右一対の目地プレート６が所定角度以上上方へ回転することを防止するストッパー８とで構成されている。
【００１６】
前記左右一対の目地プレート６は、その取付端部６ａが左右の躯体３、４にそれぞれヒンジ部材５を介して取り付けられており、その突出端部６ｂには、それぞれ傾斜面９が形成されている。
【００１７】
左右一対の目地プレートの傾斜面９が成す角は、本実施の形態においては、約７０°となるように形成されている。
【００１８】
左右一対の目地プレート６は、本実施の形態においては、通常状態（地震による揺れ動きがない状態）において、その突出端部６ｂが当接している。
この目地プレート６は、図４に示すように、底面が略平坦で上面は曲面１０に形成されている。この曲面１０は、前記傾斜面９と連続するように形成されている。目地プレート６の上面には、目地プレート牽引手段７のワイヤー１１を固定するためのワイヤー固定凹部１２が形成されている。
【００１９】
なお、このワイヤー固定凹部１２は左右の目地プレート６が合掌状態となった場合に、ワイヤー１１が干渉することを防止するために設けられるものであるが、ワイヤー１１の固定位置や曲面１０の曲率によっては設けなくともよい。
目地プレート６の取付端部６ａには、ヒンジ部材５を取付けるための凹所状のヒンジ部材取付部１３が設けられている。
【００２０】
前記目地プレート牽引手段７は、本実施の形態においては、左右の躯体３、４の壁面３ａ、４ａにそれぞれ取り付けられた牽引具１４としてのコイルスプリング１４と、該コイルスプリング１４に一端部が接続され、その他端部が前記目地プレート６のワイヤー固定凹部１２に固定されるワイヤー１１とで構成されている。
【００２１】
この目地プレート牽引手段７は、目地プレート６を常時上方へ付勢している。
前記ストッパー８は、本実施の形態においては、略アングル状の金具で形成されており、このストッパー８は、一側面が左右の躯体３、４の壁面３ａ、４ａに固定され、他側面が前記目地プレート６のヒンジ部材取付部１３と当接し、通常状態において目地プレート６が略水平状態から上方へ回動しないようにしているものである。
このストッパー８は本実施の形態においては、左右の躯体３、４にそれぞれ複数個設けられている。
【００２２】
地震で左右の躯体３、４が左右方向に揺れ動き目地部２が少し狭くなると、図５に示すように、左右一対の目地プレート６の突出端部６ｂに荷重が加わり、傾斜面９によってその荷重が、ヒンジ部材５を支点として目地プレート６を下方（外側）に回動させる荷重に変化し、左右一対の目地プレート６は下方へと回動する。
【００２３】
地震で左右の躯体３、４が左右方向に揺れ動き目地部２が更に狭くなると、図６に示すように、左右の目地プレート６は合掌状態となって揺れ動きを吸収する。この時左右の目地プレート６の曲面１０同士が当接し、お互いに荷重をかけるため、ヒンジ部材５を支点として略均等に下方へ回動し、揺れ動きを吸収できる。
【００２４】
地震による揺れ動きが終了すると、左右の目地プレート６は前記目地プレート牽引手段７の付勢力によって上方へ回動し、前記ストッパー８と目地プレート６が当接することによって略水平状態に復帰する。
【００２５】
地震で躯体３、４が左右方向に揺れ動き目地部２が広くなると、図７に示すように、左右一対の目地プレート６が離間して揺れ動きを吸収し、地震による揺れ動きが収まると、元の状態に自動的に戻る。
【００２６】
[発明を実施するための異なる形態]
次に、図８乃至図１４に示す本発明を実施するための異なる形態につき説明する。なお、これらの本発明を実施するための異なる形態の説明に当って、前記本発明を実施するための第１の形態と同一構成部分には同一符号を付して重複する説明を省略する。
図８乃至図１０に示す本発明を実施するための第２の形態において、前記本発明を実施するための第１の形態と主に異なる点は、左右の躯体３、４ではなく、目地プレート６の上面にストッパーＡ８を固定した点で、このような目地装置１Ａにしても、前記本発明を実施するための第１の形態と同様の作用効果を得ることができる。
【００２７】
図１１乃至図１４に示す本発明を実施するための第２の形態において、前記本発明を実施するための第１の形態と主に異なる点は、牽引具１４Ａとしてゼンマイバネ１４Ａを用いた目地プレート牽引手段７Ａを用いるとともに、左右の躯体３、４の壁面間の目地部２を略垂直状態で塞ぐ壁面用目地装置として目地装置１Ｂを用いた点で、このような目地装置１Ｂにしても、前記本発明を実施するための第１の形態と同様の作用効果を得ることができる。
【００２８】
本発明の実施形態では、左右の躯体の壁面にストッパーを設けたが、ヒンジ部材にストッパー片を取付けてもよく、合掌状態となった時に干渉しない程度のストッパー片を左右の目地プレートの上面に設けてもよい。
【００２９】
本発明の実施形態では、目地プレート牽引手段の牽引具としてコイルスプリングやゼンマイバネを用いるものについて説明したが、ねじりバネを備えるヒンジ部材を目地プレート牽引手段として用いてもよい。この場合、ワイヤー固定凹部を形成する必要はない。
また、牽引具として、重りを用いてもよい。この場合、躯体の壁面に滑車を備え、重りに接続されたワイヤーをこの滑車を介して目地プレートに固定するとよい。
【００３０】
本発明の実施形態においては、天井間の目地部を略水平状態（左右の躯体の外側の壁面と略平行状態）で塞ぐように目地プレートを設けたものや、壁面間の目地部を略垂直状態（左右の躯体の外側の壁面と略平行状態）で塞ぐように目地プレートを設けたものについて説明したが、目地プレートは、傾斜状態で取付けてもよい。
【産業上の利用可能性】
【００３１】
本発明は目地装置を製造する産業で利用される。
【符号の説明】
【００３２】
１、１Ａ、１Ｂ：目地装置、          ２：目地部、
３：一方の躯体、                    ４：他方の躯体、
５：ヒンジ部材、                    ６：目地プレート、
７：目地プレート牽引手段、          ８：ストッパー、
９：傾斜面、                        １０：曲面、
１１：ワイヤー、                    １２：ワイヤー固定凹部、
１３：ヒンジ部材取付部、            １４、１４Ａ：牽引具。
【図１】
2018031148.tif 000003
【図２】
2018031148.tif 000004
【図３】
2018031148.tif 000005
【図４】
2018031148.tif 000006
【図５】
2018031148.tif 000007
【図６】
2018031148.tif 000008
【図７】
2018031148.tif 000009
【図８】
2018031148.tif 000010
【図９】
2018031148.tif 000011
【図１０】
2018031148.tif 000012
【図１１】
2018031148.tif 000013
【図１２】
2018031148.tif 000014
【図１３】
2018031148.tif 000015
【図１４】
2018031148.tif 000016